(57)【要約】  【課題】  落下による衝撃を確実に吸収でき、使用の際の塗布圧も緩衝できる棒状化粧料繰出装置を提供する。  【解決手段】  保持棒１と、これを長さ方向に摺動自在に収容する容器２とを備え、容器２内の保持棒１を摺動させて棒状化粧料６１を繰り出す装置であって、保持棒１が、前側である第一の棒部材１１と後側である第二の棒部材１２とに分割され、かつ、第一の棒部材１１の後側と第二の棒部材１２の前側とをラップさせてなるラップ区間６２を有することで長さ方向に伸縮自在とされ、ラップ区間６２内で第一の棒部材１１及び第二の棒部材１２の間には、保持棒１を延伸させる方向に付与される衝撃を緩和する第一の弾性緩衝部材４が介在され、ラップ区間６２外であって第一の棒部材１１及び第二の棒部材１２の間には、保持棒１を縮退させる方向に付与される衝撃を緩和する第二の弾性緩衝部材５が介在されている。【選択図】  図１
2005160670.tif 000002
【特許請求の範囲】
【請求項１】
棒状化粧料を保持する保持棒と、この保持棒を長さ方向に摺動自在に収容する容器とを備え、容器内に収容した保持棒を前に摺動させることで保持棒に保持した棒状化粧料を繰り出す棒状化粧料繰出装置であって、
前記保持棒が、前側である第一の棒部材と後側である第二の棒部材とに分割され、かつ、第一の棒部材の後側と第二の棒部材の前側とをラップさせてなるラップ区間を有することで長さ方向に伸縮自在とされており、
前記ラップ区間内であって前記両部材の間には、保持棒を延伸させる方向に付与される衝撃を緩和する第一の弾性緩衝部材が介在されており、
前記ラップ区間外であって前記両部材の間には、保持棒を縮退させる方向に付与される衝撃を緩和する第二の弾性緩衝部材が介在されていることを特徴とする棒状化粧料繰出装置。
【請求項２】
前記保持棒が、前端に棒状化粧料を保持するためのチャックを有する前記第一の棒部材と、外部に雄螺子が形成された前記第二の棒部材とからなり、
前記容器が、前記チャックを回転不能かつ長さ方向に摺動自在に支持する支持部が内部に形成されたスリーブと、内部に前記雄螺子が螺合する雌螺子が形成され、前記スリーブの後端部に対して回転可能に連結される本体とからなり、
前記第一の棒部材及び第二の棒部材の間には、これらを同期に回動させる同期回動手段が介在されており、
前記スリーブと本体とを相対回転させることで前記チャックに保持した棒状化粧料が繰り出されることを特徴とする請求項１に記載の棒状化粧料繰出装置。
【請求項３】
前記同期回動手段が、前記第一の棒部材が前記第二の棒部材を又は前記第二の棒部材が前記第一の棒部材を回転不能かつ長さ方向に摺動自在に支持するものである場合において、
前記第一の弾性緩衝部材を前後方向に介して対向する前記第一の棒部材の部位及び第二の棒部材の部位の少なくともいずれか一方において長さ方向と直交する方向に突出する突出壁が形成され、かつ、第一の弾性緩衝部材が、その前後方向の側端部が突出壁の壁面に当接するように設けられており、
前記第二の弾性緩衝部材を前後方向に介して対向する前記第一の棒部材の部位及び第二の棒部材の部位の少なくともいずれか一方において長さ方向と直交する方向に突出する突出壁が形成され、かつ、第二の弾性緩衝部材が、その前後方向の側端部が突出壁の壁面に当接するように設けられており、
前記第一の弾性緩衝部材及び第二の弾性緩衝部材の有する各弾性係数の値が、それぞれ異なる大きさに設定されていることを特徴とする請求項２に記載の棒状化粧料繰出装置。
【請求項４】
前記同期回動手段が、前後方向の両側端部が前記第一の棒部材と第二の棒部材とのそれぞれに結合される前記第一の弾性緩衝部材及び前後方向の両側端部が前記第一の棒部材と第二の棒部材とのそれぞれに結合される前記第二の弾性緩衝部材の少なくともいずれか一方である場合において、
当該弾性緩衝部材が、前記螺子棒に過大なトルクが作用したときに前記第一の棒部材及び第二の棒部材の同期回動を解除するコイルばねであることを特徴とする請求項２に記載の棒状化粧料繰出装置。
【発明の詳細な説明】
【技術分野】
【０００１】
本発明は、例えば使用者が内蔵される棒状化粧料を適宜繰り出して使用する目的に用いられる棒状化粧料繰出装置に関する。
【背景技術】
【０００２】
従来の棒状化粧料繰出装置としては、例えば前端に棒状化粧料を保持するためのチャックが設けられ、外部に雄螺子が形成された保持棒と、チャックを回転不能・摺動自在に支持する支持部が内部に形成されたスリーブと、内部に雄螺子が螺合する雌螺子が形成され、スリーブの後端部に対して回転可能に連結される本体とを備え、スリーブと本体とを相対回転させて保持棒に保持した棒状化粧料を繰り出す棒状化粧料繰出装置であって、保持棒が、チャックが設けられた前側である第一の棒部材と雄螺子が設けられた後側である第二の棒部材とに分割され、かつ、両部材が主として保持棒を延伸させる方向に付与される衝撃を緩和する弾性緩衝部材を介して結合されているものが開示されている（例えば、特許文献１参照）。
従来の棒状化粧料繰出装置によれば、保持棒が第一の棒部材と第二の棒部材とに分割され、かつ、両部材が弾性緩衝部材を介して結合されているので、この弾性緩衝部材が落下による衝撃を吸収することで棒状化粧料に伝わらないことになり、その結果、棒状化粧料の抜け出しや折損を防止することが可能となる。
【特許文献１】実開平７−１６７１１号公報。
【発明の開示】
【発明が解決しようとする課題】
【０００３】
しかしながら、従来の棒状化粧料繰出装置においては、分割された保持棒の第一の棒部材と第二の棒部材とを単に弾性緩衝部材で結合するという構造となっているため、保持棒を縮退させる方向に付与される衝撃を緩和することは必ずしも容易ではなく、落下状況のいかんによっては落下による衝撃を十分に吸収できない場合も起こり得る。
また、近年、化粧品の使用感を重視する消費者ニーズに伴い、使用者においてよりソフトな使用感が得られることが要請されているが、かかる棒状化粧料繰出装置では、使用者が棒状化粧料を化粧をすべき箇所に押し付けたときの塗布圧を緩衝することは殆ど期待できない。
そこで、本発明の課題は、落下状況のいかんに拘わらず落下による衝撃を確実に吸収することができ、使用者が棒状化粧料を化粧をすべき箇所に押し付けたときの塗布圧も緩衝することができる棒状化粧料繰出装置を提供することにある。
【課題を解決するための手段】
【０００４】
上記課題を解決するため、本発明に係る棒状化粧料繰出装置は、棒状化粧料を保持する保持棒と、この保持棒を長さ方向に摺動自在に収容する容器とを備え、容器内に収容した保持棒を前に摺動させることで保持棒に保持した棒状化粧料を繰り出す棒状化粧料繰出装置であって、保持棒が、前側である第一の棒部材と後側である第二の棒部材とに分割され、かつ、第一の棒部材の後側と第二の棒部材の前側とをラップさせてなるラップ区間を有することで長さ方向に伸縮自在とされており、ラップ区間内であって両部材の間には、保持棒を延伸させる方向に付与される衝撃を緩和する第一の弾性緩衝部材が介在されており、ラップ区間外であって両部材の間には、保持棒を縮退させる方向に付与される衝撃を緩和する第二の弾性緩衝部材が介在されていることを特徴としている。
【０００５】
このような棒状化粧料繰出装置によれば、ラップ区間によって保持棒を長さ方向に伸縮自在とした上で、保持棒の延伸方向に働く衝撃を緩和する第一の弾性緩衝部材に加えて、保持棒の縮退方向に働く衝撃を緩和する第二の弾性緩衝部材をも備えたので、落下状況のいかんに拘わらず落下による衝撃を確実に吸収することが可能となる。
また、これによれば、使用者が棒状化粧料を化粧をすべき箇所に押し付けたときの塗布圧も緩衝することができ、これにより、使用者においてよりソフトな使用感が得られることが可能となる。
【０００６】
このような技術的手段において、第一の棒部材及び第二の棒部材を同期に回動させる手段を設けることとして、保持棒を相対回転によって繰り出す機構を有する装置において本発明を具現化しようとする観点からすれば、保持棒が、前端に棒状化粧料を保持するためのチャックを有する第一の棒部材と、外部に雄螺子が形成された第二の棒部材とからなり、容器が、チャックを回転不能かつ長さ方向に摺動自在に支持する支持部が内部に形成されたスリーブと、内部に雄螺子が螺合する雌螺子が形成され、スリーブの後端部に対して回転可能に連結される本体とからなり、第一の棒部材及び第二の棒部材の間には、これらを同期に回動させる同期回動手段が介在されており、スリーブと本体とを相対回転させることでチャックに保持した棒状化粧料が繰り出されることが好ましい。
【０００７】
なお、ここにいう雄螺子・雌螺子とは、これらと同様な働きをする螺子状の突起・溝を含む概念である。
【０００８】
また、第一の弾性緩衝部材と第二の弾性緩衝部材とで異なる弾性を発揮できるようにして、落下による衝撃を緩衝するという目的の達成にとって適合的であるのみならず、化粧による塗布圧を緩衝するという目的の達成にとっても適合的であるものとする観点からすれば、同期回動手段が、第一の棒部材が第二の棒部材を又は第二の棒部材が第一の棒部材を回転不能かつ長さ方向に摺動自在に支持するものである場合において、第一の弾性緩衝部材を前後方向に介して対向する第一の棒部材の部位及び第二の棒部材の部位の少なくともいずれか一方において長さ方向と直交する方向に突出する突出壁が形成され、かつ、第一の弾性緩衝部材が、その前後方向の側端部が突出壁の壁面に当接するように設けられており、第二の弾性緩衝部材を前後方向に介して対向する第一の棒部材の部位及び第二の棒部材の部位の少なくともいずれか一方において長さ方向と直交する方向に突出する突出壁が形成され、かつ、第二の弾性緩衝部材が、その前後方向の側端部が突出壁の壁面に当接するように設けられており、第一の弾性緩衝部材及び第二の弾性緩衝部材の有する各弾性係数の値が、それぞれ異なる大きさに設定されていることが好ましい。
【０００９】
さらに、第一の棒部材及び第二の棒部材の同期回動に関するトルクリミッターを設けることとして、過大なトルクによって容器が損壊してしまう事態を未然に回避しようとする観点からすれば、同期回動手段が、前後方向の両側端部が第一の棒部材と第二の棒部材とのそれぞれに結合される第一の弾性緩衝部材及び前後方向の両側端部が第一の棒部材と第二の棒部材とのそれぞれに結合される第二の弾性緩衝部材の少なくともいずれか一方である場合において、当該弾性緩衝部材が、螺子棒に過大なトルクが作用したときに第一の棒部材及び第二の棒部材の同期回動を解除するコイルばねであることが好ましい。
【発明の効果】
【００１０】
本発明に係る棒状化粧料繰出装置によれば、落下状況のいかんに拘わらず落下による衝撃を確実に吸収することが可能となり、使用者が棒状化粧料を化粧をすべき箇所に押し付けたときの塗布圧も緩衝することが可能となる。
【発明を実施するための最良の形態】
【００１１】
以下、添付図面に基づいて本発明の実施の形態を詳細に説明する。
なお、ここでは、保持棒を相対回転によって繰り出す機構を有する装置において本発明を具現化する場合について説明するが、これに限られるものではなく、例えば保持棒を直接又は間接に手で押すことで繰り出すような装置において本発明を具現化する場合でも、以下の説明が妥当する。
【００１２】
また、第一の弾性緩衝部材及び第二の弾性緩衝部材がともにコイルばねである場合について説明するが、これに限られるものではなく、例えば第一の弾性緩衝部材がばねであって第二の弾性緩衝部材がゴムであるような場合でも、以下の説明が妥当する。
【００１３】
＜実施の形態１＞  
図１は本発明の実施の形態１に係る棒状化粧料繰出装置の全体構成を示す縦断面図、図２は同棒状化粧料繰出装置の部分構成を示す横断面図、図３は同棒状化粧料繰出装置の作用を説明する縦断面図（保持棒縮退時）、図４は同棒状化粧料繰出装置の作用を説明する縦断面図（保持棒延伸時）である。
【００１４】
本実施の形態において、棒状化粧料繰出装置は、例えば使用者が内蔵される棒状化粧料を適宜繰り出して使用するという目的に用いられるものとして構成されている。
【００１５】
棒状化粧料繰出装置は、図１〜図４に示すように、容器２内に収容した保持棒１を前に摺動させることで保持棒１に保持した棒状化粧料６１を容器２外に繰り出す役割を果たすものとして構成されている。
【００１６】
そして、この棒状化粧料繰出装置は、図１に示すように、保持棒１と、容器２と、同期回動手段３と、第一の弾性緩衝部材たる第一のコイルばね４と、第二の弾性緩衝部材たる第二のコイルばね５とを備えたものとして構成されている。
【００１７】
以下、これらの各構成要素についてさらに詳細に説明する。
【００１８】
（１）保持棒１
保持棒１は、図１に示すように、棒状化粧料６１の後端部を保持する役割を果たすものとして構成されている。
【００１９】
保持棒１は、前側である第一の棒部材１１と後側である第二の棒部材１２とに分割されたものとして構成されている。
【００２０】
そして、保持棒１は、同図に示すように、第一の棒部材１１の後側と第二の棒部材１２の前側とをラップさせてなるラップ区間６２を有しており、このラップ区間６２を有することによって長さ方向に伸縮自在とされている。
【００２１】
具体的には、第一の棒部材１１は、同図に示すように、前端に棒状化粧料６１を保持するためのチャック１１ａを有するものとして構成されている。
【００２２】
そして、同図に示すように、第一のコイルばね４を前後方向に介して対向する第一の棒部材１１の部位及び第二の棒部材１２の部位のうち、第一の棒部材１１の部位たる第一の棒部材１１の途中部においては、長さ方向と直交する方向に突出する第一の突出壁１１ｂが形成されている。
【００２３】
また、第二の棒部材１２は、同図に示すように、外部に雄螺子１２ａが形成されたものとして構成されている。
【００２４】
そして、同図に示すように、第二のコイルばね５を前後方向に介して対向する第一の棒部材１１の部位及び第二の棒部材１２の部位のうち、第一の棒部材１１の部位たる第一の棒部材１１の後端部においては、長さ方向と直交する方向に突出する第二の突出壁１２ｂが形成されている。
【００２５】
ここで、同図に示すように、第二の棒部材１２の部位たる第二の棒部材１２の前端部には、外側に向けて突出し、かつ、周方向に延びる第二の突条１２ｃが形成されており、この第二の突条１２ｃによって各弾性緩衝部材がそれぞれ係止されることが可能となっている。
【００２６】
（２）容器２
容器２は、図１に示すように、この保持棒１を長さ方向に摺動自在に収容する役割を果たす。
【００２７】
具体的には、容器２は、同図に示すように、筒状のスリーブ２１と、スリーブ２１の後端部に対して回転可能に連結される筒状の本体２２とからなるものとして構成されている。
【００２８】
スリーブ２１は、同図に示すように、チャック１１ａを回転不能かつ長さ方向に摺動自在に支持する支持部２１ａが内部に形成されたものとして構成されている。
【００２９】
本体２２は、同図に示すように、内部に雄螺子１２ａが螺合する雌螺子２２ａが形成されたものとして構成されている。
【００３０】
（３）同期回動手段３
同期回動手段３は、図１に示すように、第一の棒部材１１及び第二の棒部材１２を同期に回動させる役割を果たす。
【００３１】
具体的には、同期回動手段３は、同図に示すように、第一の棒部材１１及び第二の棒部材１２の間に介在されるものとして構成されている。
【００３２】
すなわち、本実施の形態に係る棒状化粧料繰出装置においては、同図に示すように、スリーブ２１と本体２２とを相対回転させることが可能となっており、これにより、チャック１１ａに保持した棒状化粧料６１を繰り出すことが可能となっている。
【００３３】
つまり、このような棒状化粧料繰出装置によれば、第一の棒部材１１及び第二の棒部材１２を同期に回動させる手段が設けられているので、保持棒１を相対回転によって繰り出す機構を有する装置において本発明を適切に具現化することが可能となっている。
【００３４】
ここで、同期回動手段３は、図２に示すように、第一の棒部材１１が第二の棒部材１２を又は第二の棒部材１２が第一の棒部材１１を回転不能かつ長さ方向に摺動自在に支持するものとして構成されている。
【００３５】
具体的には、同図に示すように、一方では、第二の棒部材１２の外周には、それぞれが外側に突出し、かつ、長さ方向に延びる突条３ａが周方向に沿って複数形成されており、他方では、第一の棒部材１１の内周には、当該突条３ａと嵌り合う複数の溝３ｂが形成されている。
【００３６】
これにより、第一のコイルばね４及び第二のコイルばね５を、前後方向の側端部が第一の突出壁１１ｂの壁面に当接するように設けることで第一のコイルばね４及び第二のコイルばね５を前後に分断させることが可能となっており、これにより、第一のコイルばね４及び第二のコイルばね５をそれぞれ独立の部材として作用させることが可能となっている（図３及び図４参照）。
【００３７】
つまり、このような構成によれば、第一のコイルばね４及び第二のコイルばね５の有する各弾性係数の値をそれぞれ異なる大きさに設定することが可能となっており、その結果、第一のコイルばね４と第二のコイルばね５とで異なる弾性を発揮させることが可能となっている（図３及び図４参照）。
【００３８】
（４）第一のコイルばね４
第一のコイルばね４は、図１及び図３に示すように、保持棒１を縮退させる方向に付与される衝撃を緩和する役割を果たすものとして構成されている。
【００３９】
具体的には、第一のコイルばね４は、図１に示すように、ラップ区間６２内であって第一の棒部材１１及び第二の棒部材１２の間に介在されるものとして構成されている。
【００４０】
ここで、ラップ区間６２内に介在されるとは、第一の棒部材１１及び第二の棒部材１２の間に介在されるものであれば、第一のコイルばね４の全部がラップ区間６２内に介在される場合に限られるものではなく、第一のコイルばね４の要部がラップ区間６２内に介在され、残余がラップ区間６２外に介在される場合をも包含する概念である。
【００４１】
加えて、第一のコイルばね４は、同図に示すように、その前後方向の側端部のうち一方が保持棒１不動時（保持棒１が延伸も縮退もしていない時）において第一の突出壁１１ｂの壁面に当接するように設けられている。
【００４２】
また、第一のコイルばね４は、同図に示すように、その前後方向の側端部のうち他方が第二の棒部材１２の第二の突条１２ｃに巻き付けられるようにして第二の棒部材１２に対して係止されており、これにより、第二の棒部材１２に対しての相対的な移動が拘束されている。
【００４３】
ここで、前記した第一のコイルばね４及び後記する第二のコイルばね５の有する各弾性係数の値が、それぞれ異なる大きさに設定されている。
【００４４】
これにより、第一のコイルばね４と第二のコイルばね５とで異なる弾性を発揮させることが可能となっており、その結果、落下による衝撃を緩衝するという目的の達成にとって適合的であるのみならず、化粧による塗布圧を緩衝するという目的の達成にとっても適合的である構成を実現することが可能となっている（図３及び図４参照）。
【００４５】
具体的には、第一のコイルばね４の有する弾性係数の値は、落下による衝撃を緩衝するという目的の達成にとって適合的である大きさに設定されており、化粧による塗布圧を緩衝するという目的の達成にとって適合的である第二のコイルばね５の有する弾性係数の値に対し相当に小さい値に設定されている。
【００４６】
（５）第二のコイルばね５
第二のコイルばね５は、図１及び図４に示すように、保持棒１を延伸させる方向に付与される衝撃を緩和する役割を果たす。
【００４７】
具体的には、第二のコイルばね５は、図１に示すように、ラップ区間６２外であって第一の棒部材１１及び第二の棒部材１２の間に介在されるものとして構成されている。
【００４８】
ここで、ラップ区間６２外に介在されるとは、第一の棒部材１１及び第二の棒部材１２の間に介在されるものであれば、第二のコイルばね５の全部がラップ区間６２外に介在される場合に限られるものではなく、第二のコイルばね５の要部がラップ区間６２外に介在され、残余がラップ区間６２内に介在される場合をも包含する概念である。
【００４９】
加えて、第二のコイルばね５は、同図に示すように、その前後方向の側端部のうち一方が保持棒１不動時（保持棒１が延伸も縮退もしていない時）において第二の突出壁１２ｂの壁面に当接するように設けられている。
【００５０】
また、第二のコイルばね５は、同図に示すように、その前後方向の側端部のうち他方が第二の棒部材１２の第二の突条１２ｃに巻き付けられるようにして第二の棒部材１２に対して係止されており、これにより、第二の棒部材１２に対しての相対的な移動が拘束されている。
【００５１】
ここで、前記した第一のコイルばね４及び後記する第二のコイルばね５の有する各弾性係数の値が、それぞれ異なる大きさに設定されている。
【００５２】
これにより、第一のコイルばね４と第二のコイルばね５とで異なる弾性を発揮させることが可能となっており、その結果、落下による衝撃を緩衝するという目的の達成にとって適合的であるのみならず、化粧による塗布圧を緩衝するという目的の達成にとっても適合的である構成を実現することが可能となっている（図３及び図４参照）。
【００５３】
具体的には、第二のコイルばね５の有する弾性係数の値は、化粧による塗布圧を緩衝するという目的の達成にとって適合的である大きさに設定されており、落下による衝撃を緩衝するという目的の達成にとって適合的である第一のコイルばね４の有する弾性係数の値に対し相当に大きい値に設定されている。
【００５４】
つまり、第二のコイルばね５の有する弾性係数の値は、塗布具としての機能を損なわない限度で化粧による塗布圧を緩衝し得るかたさに設定されており、第一のコイルばね４の有する弾性係数の値に比して、十分なかたさに設定されている。
【００５５】
上記したように、このような棒状化粧料繰出装置によれば、ラップ区間６２によって保持棒１を長さ方向に伸縮自在とした上で、保持棒１の延伸方向に働く衝撃を緩和する第一のコイルばね４に加えて、保持棒１の縮退方向に働く衝撃を緩和する第二のコイルばね５をも備えたものとして構成されているので、落下状況のいかんに拘わらず落下による衝撃を確実に吸収することが可能となっている。
【００５６】
加えて、これによれば、使用者が棒状化粧料６１を化粧をすべき箇所に押し付けたときの塗布圧をより十分に緩衝することが可能となっており、これにより、使用者においてよりソフトな使用感が得られることが可能となっている。
【００５７】
なお、この実施の形態１において、第一のコイルばね４及び第二のコイルばね５は、それぞれ別個独立の部材として構成されているが、これに限られるものではなく、中央部が第二の棒部材１２に係止されることで前後に分断され、これによりラップ区間の内外で実質的に別個独立の機能を発揮できることとなれば、第一のコイルばね４及び第二のコイルばね５が連続的・一体的な部材として構成されているものであっても差し支えない。
【００５８】
＜実施の形態２＞
図５は本発明の実施の形態２に係る棒状化粧料繰出装置の全体構成を示す縦断面図、図６は同棒状化粧料繰出装置の部分構成を示す横断面図、図７は同棒状化粧料繰出装置の作用を説明する縦断面図（保持棒縮退時）、図８は同棒状化粧料繰出装置の作用を説明する縦断面図（保持棒延伸時）である。
【００５９】
なお、実施の形態１と同様な構成要素については実施の形態１と同様な符号を付してここではその詳細な説明を省略する。
【００６０】
この実施の形態２に係る棒状化粧料繰出装置は、図５〜図８に示すように、実施の形態１と略同様であるが、実施の形態１と異なり、第一のコイルばね４を前後方向に介して対向する第一の棒部材１１の部位及び第二の棒部材１２の部位の両方において長さ方向と直交する方向に突出する第一の突出壁１１ｂ及び第二の突出壁１２ｂがそれぞれ形成されており、第二の棒部材１２の部位である前端部に第二の突条１２ｃが形成されておらず、よって、第一のコイルばね４が、その前後方向の側端部の両方が第一の突出壁１１ｂ及び第二の突出壁１２ｂの各壁面にそれぞれ当接するように設けられている。
【００６１】
また、これらの図に示すように、第二のコイルばね５を前後方向に介して対向する第一の棒部材１１の部位及び第二の棒部材１２の部位の両方において長さ方向と直交する方向に突出する第一の突出壁１１ｂ及び第二の突出壁１２ｂがそれぞれ形成されており、第二の棒部材１２の部位たる第二の棒部材１２の前端部に第二の突条１２ｃが形成されておらず、よって、第二のコイルばね５が、その前後方向の側端部の両方が第一の突出壁１１ｂ及び第二の突出壁１２ｂの各壁面にそれぞれ当接するように設けられている。
【００６２】
したがって、この実施の形態２に係る棒状化粧料繰出装置によっても、第一のコイルばね４及び第二のコイルばね５の有する各弾性係数の値を、それぞれ異なる大きさに設定することが可能となっており、実施の形態１と同様な効果が得られることになっている（図７及び図８参照）。
【００６３】
＜実施の形態３＞
図９は本発明の実施の形態３に係る棒状化粧料繰出装置の全体構成を示す縦断面図、図１０は同棒状化粧料繰出装置の部分構成を示す横断面図、図１１は同棒状化粧料繰出装置の作用を説明する縦断面図（保持棒縮退時）、図１２は同棒状化粧料繰出装置の作用を説明する縦断面図（保持棒延伸時）である。
【００６４】
なお、実施の形態１と同様な構成要素については実施の形態１と同様な符号を付してここではその詳細な説明を省略する。
【００６５】
この実施の形態３に係る棒状化粧料繰出装置は、図９〜図１２に示すように、実施の形態１と略同様であるが、実施の形態１と異なり、第一のコイルばね４を前後方向に介して対向する第一の棒部材１１の部位及び第二の棒部材１２の部位において、外側に向けて突出し、かつ、周方向に延びる第一の突条１１ｃ及び第二の突条１２ｃがそれぞれ形成されており、第一のコイルばね４が、その前後方向の両側端部が第一の突条１１ｃ及び第二の突条１２ｃのそれぞれに巻き付けられるようにして第一の棒部材１１及び第二の棒部材１２のそれぞれに対して係止されている。
【００６６】
また、これらの図に示すように、第二のコイルばね５を前後方向に介して対向する第一の棒部材１１の部位及び第二の棒部材１２の部位において、外側に向けて突出し、かつ、周方向に延びる第一の突条１１ｃ及び第二の突条１２ｃがそれぞれ形成されており、第二のコイルばね５が、その前後方向の両側端部が第一の突条１１ｃ及び第二の突条１２ｃのそれぞれに巻き付けられるようにして第一の棒部材１１及び第二の棒部材１２のそれぞれに対して係止されている。
【００６７】
ここで、同期回動手段３が、前後方向の両側端部が第一の棒部材１１と第二の棒部材１２とのそれぞれに結合される第一のコイルばね４及び前後方向の両側端部が第一の棒部材１１と第二の棒部材１２とのそれぞれに結合される第二のコイルばね５である場合において、当該第一のコイルばね４及び第二のコイルばね５が、螺子棒に過大なトルクが作用したときに第一の棒部材１１及び第二の棒部材１２のそれぞれに対して滑ることで又は自らの形状を崩して捻れを生じさせることで第一の棒部材１１及び第二の棒部材１２の同期回動を解除することが可能となっている（図１０、図１１及び図１２参照）。
【００６８】
したがって、この実施の形態３に係る棒状化粧料繰出装置によれば、第一の棒部材１１及び第二の棒部材１２の同期回動に関するトルクリミッターを設けることが可能となっているので、第一のコイルばね４と第二のコイルばね５とで異なる弾性を発揮させる効果を除くほか、実施の形態１と同様な効果が得られるとともに、過大なトルクによって容器を損壊させる事態を未然に回避できるという特有の効果もが得られることになっている。
【図面の簡単な説明】
【００６９】
【図１】本発明の実施の形態１に係る棒状化粧料繰出装置の全体構成を示す縦断面図である。
【図２】本発明の実施の形態１に係る棒状化粧料繰出装置の部分構成を示す横断面図である。
【図３】本発明の実施の形態１に係る棒状化粧料繰出装置の作用を説明する縦断面図（保持棒縮退時）である。
【図４】本発明の実施の形態１に係る棒状化粧料繰出装置の作用を説明する縦断面図（保持棒延伸時）である。
【図５】本発明の実施の形態２に係る棒状化粧料繰出装置の全体構成を示す縦断面図である。
【図６】本発明の実施の形態２に係る棒状化粧料繰出装置の部分構成を示す横断面図である。
【図７】本発明の実施の形態２に係る棒状化粧料繰出装置の作用を説明する縦断面図（保持棒縮退時）である。
【図８】本発明の実施の形態２に係る棒状化粧料繰出装置の作用を説明する縦断面図（保持棒延伸時）である。
【図９】本発明の実施の形態３に係る棒状化粧料繰出装置の全体構成を示す縦断面図である。
【図１０】本発明の実施の形態３に係る棒状化粧料繰出装置の部分構成を示す横断面図である。
【図１１】本発明の実施の形態３に係る棒状化粧料繰出装置の作用を説明する縦断面図（保持棒縮退時）である。
【図１２】本発明の実施の形態３に係る棒状化粧料繰出装置の作用を説明する縦断面図（保持棒延伸時）である。
【符号の説明】
【００７０】
１ 保持棒
２ 容器
３ 同期回動手段
４ 第一のコイルばね
５ 第二のコイルばね
１１ 第一の棒部材
１１ａ チャック
１１ｂ 第一の突出壁
１１ｃ 第一の突条
１２ 第二の棒部材
１２ａ 雄螺子
１２ｂ 第二の突出壁
１２ｃ 第二の突条
２１ スリーブ
２１ａ 支持部
２２ 本体
２２ａ 雌螺子
６１ 棒状化粧料
６２ ラップ区間
【図１】
2005160670.tif 000003
【図２】
2005160670.tif 000004
【図３】
2005160670.tif 000005
【図４】
2005160670.tif 000006
【図５】
2005160670.tif 000007
【図６】
2005160670.tif 000008
【図７】
2005160670.tif 000009
【図８】
2005160670.tif 000010
【図９】
2005160670.tif 000011
【図１０】
2005160670.tif 000012
【図１１】
2005160670.tif 000013
【図１２】
2005160670.tif 000014